(57)【要約】【課題】既存のギターケースでも容易に適用可能にして汎用性を高めるとともに、レイアウト上の設計自由度を高める。【解決手段】ギターＧのネック部Ｇｎが収容され、かつネック部Ｇｎの裏面Ｇｎｒが対向するケース本体部２のパネル部２ｎに配設した二つのスピーカ４ａ，４ｂを有するスピーカ部４と、スピーカ部４の近傍に位置するケース本体部２に配設し、かつアンプ部３に接続した少なくとも外部から操作可能な調整用操作部５と、ケース本体部２に配設し、かつアンプ部３の入力部に接続した少なくともマイクロフォンを接続可能なマイクロフォンジャックを含むコネクタ部６と、アンプ部３に直流電力を供給する電源部７とを備える。【選択図】図１
2014078046.tif 000002
【特許請求の範囲】
【請求項１】
ケース本体部に少なくともアンプ部及びこのアンプ部の出力部に接続したスピーカ部を一体に備えるギターケースにおいて、ギターのネック部が収容され、かつ当該ネック部の裏面が対向する前記ケース本体部のパネル部に配設した一又は二以上のスピーカを有するスピーカ部と、前記スピーカ部の近傍に位置するケース本体部に配設し、かつ前記アンプ部に接続した少なくとも外部から操作可能な調整用操作部と、前記ケース本体部に配設し、かつ前記アンプ部の入力部に接続した少なくともマイクロフォンを接続可能なマイクロフォンジャックを含むコネクタ部と、前記アンプ部に直流電力を供給する電源部と、を備えることを特徴とするギターケース。
【請求項２】
前記コネクタ部には、音声マイクロフォンジャック，ギターマイクロフォンジャック，外部音源入力ジャックの一又は二以上を備えるとともに、入力信号を処理した処理信号を出力する外部出力端子を備えることを特徴とする請求項１記載のギターケース。
【請求項３】
前記電源部には、電池，バッテリ，太陽電池，外部電源の入力コネクタ，の一又は二以上を含むことを特徴とする請求項１又は２記載のギターケース。
【請求項４】
前記ケース本体部には、当該ケース本体部を起立させるための折畳スタンドを備えることを特徴とする請求項１，２又は３記載のギターケース。
【発明の詳細な説明】
【技術分野】
【０００１】
本発明は、ケース本体部に少なくともアンプ部及びこのアンプ部に接続したスピーカ部を一体に備えるギターケースに関する。
【背景技術】
【０００２】
一般に、ストリートミュージシャンと呼ばれる人達は、公園や街角等でアコースティックギターを使用したライブ演奏を行う。この際、歌声やギター音を大きくするには、ギターの他にアンプ部やスピーカ部等を備える拡声装置が必要になるが、拡声装置を使用する場合、全体の機材が増加し、持運びや電源確保を含むセッティング等が大変になるとともに、機材の操作員が必要になる場合もある。また、保管時にも余分な保管スペースが取られるなどの問題を生じる。
【０００３】
そこで、本出願人は、この問題を解決するための楽器ケースを、既に特許文献１により提案した。この楽器ケース（ギターケース）は、楽器を収容するケース本体部を備えるギターケースにおいて、ケース本体部に、少なくとも楽器から得る音信号を処理するアンプ部及びこのアンプ部の出力側に接続したスピーカ部を取付けることにより、ケース本体部を、少なくともアンプ部及びスピーカ部を取付けるキャビネットに兼用させたものであり、これにより、ギター等の楽器に付随する別途の拡声装置を不要にして、運搬時における煩わしさや労力、さらには保管時における保管スペースをほぼ半減させることができるとともに、特に、アンプ部及びスピーカ部は楽器の湾曲部又は突出部によりケース本体部に生じる空スペースを利用して取付けたため、基本的には、従来のケースの形状をそのまま利用することができ、アンプ部及びスピーカ部を組付けたことに伴うギターケースの大型化を回避できる。
【先行技術文献】
【特許文献】
【０００４】
【特許文献１】特開２００２−２８７７４５号公報
【発明の概要】
【発明が解決しようとする課題】
【０００５】
しかし、上述した特許文献１のギターケース（楽器ケース）は、次のような解決すべき課題も存在した。
【０００６】
第一に、特許文献１のギターケースは、ギターボディの両側面の凹部により形成される空間にスピーカ部を配するようにしたため、汎用性の観点からは必ずしも望ましいものとはいえない。即ち、ギターケースの場合、ギターボディの当該凹部によっては十分な空間が形成されない場合も多く、スピーカ部を配設する十分な空間を確保できない場合も少なくない。このため、特に、既存のギターケースに適用できない場合も多くなり、汎用性に難がある。
【０００７】
第二に、スピーカ部の位置が下方に位置し、かつその位置がギターの形状により特定されるとともに、スピーカ部の近くにアンプ部の配設スペースを確保できないため、アンプ部及びスピーカ部の双方を含む全体のレイアウトに対する設計自由度が低くなったり、アンプ部とスピーカ部を接続する配線が長くなる。
【０００８】
本発明は、このような背景技術に存在する課題を解決したギターケースの提供を目的とするものである。
【課題を解決するための手段】
【０００９】
本発明は、上述した課題を解決するため、ケース本体部２に少なくともアンプ部３及びこのアンプ部３の出力部３ｅに接続したスピーカ部４を一体に備えるギターケース１を構成するに際して、ギターＧのネック部Ｇｎが収容され、かつ当該ネック部Ｇｎの裏面Ｇｎｒが対向するケース本体部２のパネル部２ｎに配設した一又は二以上のスピーカ４ａ，４ｂを有するスピーカ部４と、スピーカ部４の近傍に位置するケース本体部２に配設し、かつアンプ部３に接続した少なくとも外部から操作可能な調整用操作部５と、ケース本体部２に配設し、かつアンプ部３の入力部３ｉに接続した少なくともマイクロフォンＭａ…を接続可能なマイクロフォンジャック６ａ…を含むコネクタ部６と、アンプ部３に直流電力を供給する電源部７と、を備えることを特徴とする。
【００１０】
この場合、発明の好適な態様により、コネクタ部６には、音声マイクロフォンジャック６ａ，ギターマイクロフォンジャック６ｂ，外部音源入力ジャック６ｃの一又は二以上を設けることができるとともに、入力信号を処理した処理信号を出力する外部出力端子６ｄを設けることができる。また、電源部７には、電池，バッテリ７ａ１…（７ｂ１…），太陽電池，外部電源の入力ジャック６ｐ，の一又は二以上を含ませることができる。さらに、ケース本体部２には、当該ケース本体部２を起立させるための折畳スタンド８を設けることができる。
【発明の効果】
【００１１】
このような構成を有する本発明に係るギターケース１によれば、次のような顕著な効果を奏する。
【００１２】
（１）  ギターＧのネック部Ｇｎが収容され、かつ当該ネック部Ｇｎの裏面Ｇｎｒが対向するケース本体部２のパネル部２ｎに、一又は二以上のスピーカ４ａ，４ｂを有するスピーカ部４を配設したため、既存のギターケースであっても本発明を容易に適用可能になるなど、汎用性を高めることができる。特に、アコースティックギターＧを収容するギターケース１の場合には、ギターＧの構造から空間が生じやすく、容易かつ確実に適用可能となる。
【００１３】
（２）  ギターケース１を起立させた際に、スピーカ部４の位置を比較的高い位置にすることができるとともに、その位置（高さ）を任意に選定可能となる。しかも、アンプ部３の配設スペースを容易に確保できるなど、アンプ部３とスピーカ部４のレイアウト上の設計自由度を高めることができるとともに、アンプ部３をスピーカ部４を近接位置に配することにより、アンプ部３とスピーカ部４の接続配線を短くすることができる。
【００１４】
（３）  好適な態様により、コネクタ部６に、音声マイクロフォンジャック６ａ，ギターマイクロフォンジャック６ｂ，外部音源入力ジャック６ｃの一又は二以上を設けるとともに、入力信号を処理した処理信号を出力する外部出力端子６ｄを設ければ、ギター音と音声（歌声）の双方の拡声が可能となるため、ギター音と音声の相対的な音量バランスを設定するなどにより最適なライブ等を実現できる。また、音声マイクロフォンジャック６ａ，ギターマイクロフォンジャック６ｂ，外部音源入力ジャック６ｃからの入力信号を調整処理及びミキシング処理し、外部出力端子６ｄから出力させることにより、小型ミキサーとして機能させることができるとともに、大きなステージで演奏する場合のモニターとしても使用することができる。特に、この場合、演奏者は、音響操作員に頼ることなく調整処理及びミキシング処理することにより、良好なモニター音を得ることができる。
【００１５】
（４）  好適な態様により、電源部７に、電池，バッテリ７ａ１…（７ｂ１…），太陽電池，外部電源の入力ジャック６ｐ，の一又は二以上を含ませれば、使用場所等に対応した電源選定が可能となるため、適切な電源を確実に確保することができる。
【００１６】
（５）  好適な態様により、ケース本体部２に、当該ケース本体部２を起立させるための折畳スタンド８を設ければ、折畳スタンド８とケース本体部２の双方により当該ケース本体部２を起立させることができるため、ケース本体部２を任意の角度で容易かつ安定に起立させることができる。
【図面の簡単な説明】
【００１７】
【図１】本発明の好適実施形態に係るギターケースの外観正面図、
【図２】同ギターケースの外観側面図、
【図３】同ギターケースの断面側面図、
【図４】同ギターケースに配設した電気系のブロック回路図、
【図５】同ギターケースを折畳スタンドを用いて起立させた状態を示す側面図、
【図６】同ギターケースの使用状態説明図、
【発明を実施するための形態】
【００１８】
次に、本発明に係る好適実施形態の例を挙げ、図面に基づき詳細に説明する。
【００１９】
まず、本実施形態に係るギターケース１の構成について、図１〜図４を参照して説明する。
【００２０】
ギターケース１は、ギターＧを収容するケース本体部２を備える。例示のギターＧはアコースティックギターである。ケース本体部２は、図２に示すように、収納ケース部２１と、この収納ケース部２１に対してヒンジ部を介して開閉する蓋部２２を備え、収納ケース部２１と蓋部２２は、それぞれプラスチック等の剛性素材によりハードケースとして構成する。また、収納ケース部２１と蓋部２２における内面のほぼ全面には、図３に示すように、それぞれクッション材等の保護材２４…を敷設する。なお、ケース本体部２において、２５…は複数（例示は四つ）のロックキー、２６は把手をそれぞれ示す。このように、ケース本体部２の基本的な構成は、公知のギターケースと同じである。その他、２７は交換用の弦などを収容できる小物入れ（ポケット）を示すとともに、図示を省略したが、肩掛ベルト用フック等の必要な機能部品を備えている。
【００２１】
一方、ケース本体部２の背面、即ち、蓋部２２の外面には、当該ケース本体部２を起立させるための折畳スタンド８を設ける。この折畳スタンド８は、図３に示すように、スタンド本体部８ｍと、このスタンド本体部８ｍの上端を回動可能に支持するブラケット部８ｂからなり、使用時には、図５に示すように、スタンド本体部８ｍを蓋部２２の外面に対して所定角度に広げてケース本体部２を起立させることができるとともに、非使用時には、図２に示すように、蓋部２２の外面に重なるように折畳むことができる。なお、例示するスタンド本体部８ｍの形状は背面方向から見て逆Ｖ形である。また、必要により、使用位置及び非使用位置では、スタンド部１２の位置をロック可能に構成してもよい。このような折畳スタンド８を設ければ、折畳スタンド８とケース本体部２の双方により当該ケース本体部２を起立させることができるため、ケース本体部２を任意の角度で容易かつ安定に起立させることができる。
【００２２】
他方、収納ケース部２１には、図４に示す電気系の拡声回路Ｃを配設する。この拡声回路Ｃは、同図に示すように、大別して、コネクタ部６，アンプ部３，調整用操作部５，スピーカ部４及び電源部７を備える。
【００２３】
スピーカ部４は、二つのスピーカ４ａ，４ｂを用いて構成し、この二つのスピーカ４ａ，４ｂは、ギター（アコースティックギター）Ｇのネック部Ｇｎが収容される部位における当該ネック部Ｇｎの裏面Ｇｎｒが対向するケース本体部２のパネル部２ｎに配設する。ギター（アコースティックギター）Ｇは、通常、ネック部Ｇｎがボディ部Ｇｂのサウンドホール部付近から延設されるため、ネック部Ｇｎの裏面Ｇｎｒ側におけるケース本体部２には細長い空間Ｓが存在する。このため、スピーカ４ａ，４ｂは、この空間Ｓを利用して取付ける。取付けるに際しては、パネル部２ｎに二つの孔を並べて明け、各スピーカ４ａ，４ｂをそれぞれ二つの孔に収容するとともに、ネジ等の固定具を用いて外部側からパネル部２ｎに取付ける。また、各スピーカ４ａ，４ｂの表側は、複数のスリット或いは小孔を有するグリル２８ａ，２８ｂにより覆うとともに、スピーカ４ａ，４ｂの裏側はボックス状のスピーカ保護カバー２９により覆う。なお、スピーカ保護カバー２９はパネル部２ｎの内部側に取付ける。さらに、調整用操作部５には、ヘッドフォン４ｈを着脱することができるジャックを備える。
【００２４】
スピーカ部４の近傍に位置するケース本体部２には少なくとも外部から操作可能な調整用操作部５を配設する。この場合、スピーカ部４を配設したパネル部２ｎを正面とした場合、側面に位置するパネル部２ｓに調整用操作部５を配設する。この調整用操作部５には、例えば、音量調整，音質調整（高音調整，低音調整等），効果音調整等を含む複数の調整ツマミ５ｃ…を備えるとともに、切換スイッチ及び選択スイッチを含む各種スイッチ類５ｓ…、更には各種ランプ類５ｅ…を備える。
【００２５】
また、ケース本体部２を起立させた際の下部に位置するパネル部２ｓにはコネクタ部６を配設する。このコネクタ部６には、音声マイクロフォンジャック６ａ，ギターマイクロフォンジャック６ｂ，外部音源入力ジャック６ｃの一又は二以上を設けるとともに、入力信号を処理した処理信号を出力する外部出力端子６ｄを設ける。この場合、マイクロフォンジャック６ａ…には、例えば、図６に示すようなハンズフリータイプの音声マイクロホンＭａ，ギターＧに内蔵するギターマイクロフォン（ピックアップ）又は外部マイクロフォンＭｂ（図４）を接続可能である。これにより、ギター音と音声（歌声）の双方の拡声が可能となるため、ギター音と音声の相対的な音量バランスを設定するなどにより最適なライブ等を実現できる。一方、外部音源入力ジャック６ｃには、ＣＤプレーヤ，カラオケ機器等の外部音源４２を接続できるとともに、外部出力端子６ｄには、ＩＣレコーダ等の録音機材４３を接続できる。このようなコネクタ部６を設けることにより、音声マイクロフォンジャック６ａ，ギターマイクロフォンジャック６ｂ，外部音源入力ジャック６ｃからの入力信号を調整処理及びミキシング処理し、外部出力端子６ｄから出力させることにより、小型ミキサーとして機能させることができる。また、大きなステージで演奏する場合のモニターとしても使用することもできる。特に、この場合、演奏者は、音響操作員に頼ることなく調整処理及びミキシング処理することにより、良好なモニター音を得ることができる。なお、コネクタ部６には、その他、外部電源４１の入力ジャック６ｐをはじめ、汎用入力ジャック６ｅ等が含まれる。
【００２６】
さらに、調整用操作部５の裏面側にはアンプ部３を収容した回路ボックス３０を取付ける。したがって、回路ボックス３０は、例示のように、アンプ部３及び調整用操作部５の裏面側の双方を覆うことができる。アンプ部３は、図４に示すように、チューニングメータ３１，入力アンプ部３２，効果音生成部３３，イコライザ部３４，ミキシング部３５、出力アンプ部３６を有する。効果音生成部３３は、効果音の生成をはじめ、モノラル信号のステレオ化（サラウンド化）等の各種信号処理を行う機能を有する。イコライザ部３４は、各入力信号の音質調整機能及びハウリング防止機能を有する。ミキシング部３５は、音声マイクロホンＭａ，ギターマイクロフォン（ピックアップ）Ｍｂ又は外部マイクロフォンＭｂ．外部音源４２，効果音生成部３３からの信号をそれぞれ音量調整してミキシングすることができる。また、ミキシングした信号を録音機材４３により録音することもできるし、外部音響機材４４へ送ることもできる。出力アンプ部３６は、信号増幅処理を行う機能を有する。この場合、アンプ部３の入力部３ｉとコネクタ部６を接続する配線は、パネル部２ｓの内面に沿って配し、この配線は、配線カバー３８により覆う。なお、配線はパネル部２ｓの内面に沿わせるため、邪魔になることはない。また、アンプ部３の出力部３ｅにはスピーカ４ａ，４ｂをそれぞれ接続する。その他、アンプ部３には、コンプレッサ、リミッター、フィルター、ゲート、エクスパンダー等の音声信号処理回路を設けることができる。
【００２７】
一方、ケース本体部２の内部には、アンプ部３に直流電力を供給する電源部７を配設する。電源部７は二つのバッテリを備える。この場合、二つのバッテリは、図１における７ａ１，７ａ２の位置に配してもよいし、７ｂ１，７ｂ２の位置に配してもよい。また、双方に計四つのバッテリを備えてもよい。なお、電源部７には、その他、乾電池や太陽電池をはじめ、上述した外部電源の入力ジャック６ｐから入力可能な外部電源４１を用いることができる。これらは一つであってもよいし二つ以上であってもよい。このように、電源部７に、電池，バッテリ７ａ１…（７ｂ１…），太陽電池，外部電源の入力ジャック６ｐ，の一又は二以上を含ませれば、使用場所等に対応した電源選定が可能となるため、適切な電源を確実に確保することができる。その他、図４において、７ｍは電源部７に備える配電部及び充電部、７ｄａ，７ｄｂは逆流防止ダイオードをそれぞれ示す。
【００２８】
次に、本実施形態に係るギターケース１の使用方法及び機能について、図１〜図６を参照して説明する。
【００２９】
まず、ギターケース１は、基本的に、ギター（アコースティックギター）Ｇを収容する通常のギターケースとして使用できる。
【００３０】
一方、ギターケース１からギターＧを取出した後の空ケースは、そのまま拡声装置として利用できる。使用する際には、図５に示すように、スタンド本体部８ｍを蓋部２２の外面に対して所定角度に広げ、ギターケース１を地面Ｅ等の上に起立設置させる。また、図６に示すように、演奏者Ｈに装着したハンズフリータイプの音声マイクロホンＭａは、接続ケーブルＬａを介してマイクロフォンジャック６ａに接続するとともに、ギターＧに内蔵するギターマイクロフォンＭｂは、接続ケーブルＬｂを介してマイクロフォンジャック６ｂに接続する。
【００３１】
そして、調整用操作部５を用いて必要な調整、例えば、音量調整，音質調整（高音調整，低音調整等），効果音調整，バランス調整等を行えば、拡声装置となるギターケース１を使用して生演奏を行うことができる。
【００３２】
このように、本実施形態に係るギターケース１によれば、ギターＧのネック部Ｇｎが収容され、かつ当該ネック部Ｇｎの裏面Ｇｎｒが対向するケース本体部２のパネル部２ｎに、一又は二以上のスピーカ４ａ，４ｂを有するスピーカ部４を配設したため、既存のギターケースであっても本発明を容易に適用可能になるなど、汎用性を高めることができる。特に、アコースティックギターＧを収容するギターケース１の場合には、ギターＧの構造から空間が生じやすく、容易かつ確実に適用可能となる。また、ギターケース１を起立させた際に、スピーカ部４の位置を比較的高い位置にすることができるとともに、その位置（高さ）を任意に選定可能となる。しかも、アンプ部３の配設スペースを容易に確保できるなど、アンプ部３とスピーカ部４のレイアウト上の設計自由度を高めることができるとともに、アンプ部３をスピーカ部４を近接位置に配することにより、アンプ部３とスピーカ部４の接続配線を短くすることができる。
【００３３】
以上、好適実施形態について詳細に説明したが、本発明は、このような実施形態に限定されるものではなく、細部の構成，形状，素材，数量等において、本発明の要旨を逸脱しない範囲で、任意に変更，追加，削除することができる。例えば、ケース本体部２は、自身でも自立可能であるため、必ずしも折畳スタンド８を設けることを要しない。また、必要に応じて、ケース本体部２の外面には、譜面や小物等を収容できるポケットを設けてもよい。なお、ネック部Ｇｎとはヘッド部も含む概念である。
【産業上の利用可能性】
【００３４】
本発明に係るギターケースは、アコースティックギター等のギターを収容し、かつケース本体部に拡声回路を一体に設ける際に利用できる。
【符号の説明】
【００３５】
１：ギターケース
２：ケース本体部
２ｎ：パネル部
３：アンプ部
３ｉ：アンプ部の入力部
３ｅ：アンプ部の出力部
４：スピーカ部
４ａ：スピーカ
４ｂ：スピーカ
５：調整用操作部
６：コネクタ部
６ａ：マイクロフォンジャック（音声マイクロフォンジャック）
６ｂ：マイクロフォンジャック（ギターマイクロフォンジャック）
６ｃ：外部音源入力ジャック
６ｄ：外部出力端子
７：電源部
７ａ１…：バッテリ
７ｂ１…：バッテリ
６ｐ：外部電源の入力ジャック
８：折畳スタンド
Ｇ：ギター（アコースティックギター）
Ｇｎ：ネック部
Ｇｎｒ：ネック部の裏面
Ｍａ…：マイクロフォン
【図１】
2014078046.tif 000003
【図２】
2014078046.tif 000004
【図３】
2014078046.tif 000005
【図４】
2014078046.tif 000006
【図５】
2014078046.tif 000007
【図６】
2014078046.tif 000008
【手続補正書】
【提出日】平成26年2月26日(2014.2.26)
【手続補正１】
【補正対象書類名】特許請求の範囲
【補正対象項目名】全文
【補正方法】変更
【補正の内容】
【特許請求の範囲】
【請求項１】
ケース本体部に少なくともアンプ部及びこのアンプ部の出力部に接続したスピーカ部を一体に備えるギターケースにおいて、
一又は二以上のスピーカを有する前記スピーカ部を、ギターのネック部が収容される部位における当該ネック部の裏面が対向する前記ケース本体部のパネル部に配設し、
前記スピーカ部の近傍に位置するケース本体部に配設し、かつ前記アンプ部に接続した少なくとも外部から操作可能な調整用操作部と、
前記ケース本体部に配設し、かつ前記アンプ部の入力部に接続した少なくとも音声マイクロフォンジャック、ギターマイクロフォンジャック及び外部音源入力ジャックを含むコネクタ部と、
前記アンプ部に直流電力を供給する電源部とを備え、
前記アンプ部は、前記スピーカ部の近接位置に配置されて接続配線によって当該スピーカ部に接続されていることを特徴とするギターケース。
【請求項２】
前記コネクタ部は、前記音声マイクロフォンジャック、前記ギターマイクロフォンジャック及び前記外部音源入力ジャックからの入力信号をそれぞれ調整処理及び効果音処理をした当該入力信号をミキシング処理した処理信号を出力する外部出力端子を備えることを特徴とする請求項１記載のギターケース。
【請求項３】
前記電源部は、電池、バッテリ、太陽電池及び外部電源の入力コネクタのうちの一又は二以上を含んで構成されることを特徴とする請求項１又は２記載のギターケース。
【請求項４】
前記ケース本体部は、当該ケース本体部を起立させるための折畳スタンドを備えることを特徴とする請求項１、２又は３記載のギターケース。
【手続補正２】
【補正対象書類名】明細書
【補正対象項目名】０００９
【補正方法】変更
【補正の内容】
【０００９】
本発明は、上述した課題を解決するため、ケース本体部２に少なくともアンプ部３及びこのアンプ部３の出力部３ｅに接続したスピーカ部４を一体に備えるギターケース１を構成するに際して、一又は二以上のスピーカを有するスピーカ部を、ギターＧのネック部Ｇｎが収容される部位における当該ネック部Ｇｎの裏面Ｇｎｒが対向するケース本体部２のパネル部２ｎに配設し、スピーカ部４の近傍に位置するケース本体部２に配設し、かつアンプ部３に接続した少なくとも外部から操作可能な調整用操作部５と、ケース本体部２に配設し、かつアンプ部３の入力部３ｉに接続した少なくとも音声マイクロフォンジャック６ａ、ギターマイクロフォンジャック６ｂ及び外部音源入力ジャック６ｃを含むコネクタ部６と、アンプ部３に直流電力を供給する電源部７とを備え、アンプ部３は、スピーカ部４の近接位置に配置されて接続配線によってスピーカ部４に接続されていることを特徴とする。
【手続補正３】
【補正対象書類名】明細書
【補正対象項目名】００１０
【補正方法】変更
【補正の内容】
【００１０】
この場合、発明の好適な態様により、コネクタ部６には、音声マイクロフォンジャック６ａ、ギターマイクロフォンジャック６ｂ、外部音源入力ジャック６ｃからの入力信号をそれぞれ調整処理及び効果音処理をした当該入力信号をミキシング処理した処理信号を出力する外部出力端子６ｄを設けることができる。また、電源部７には、電池、バッテリ７ａ１…（７ｂ１…）、太陽電池及び外部電源の入力ジャック６ｐのうちの一又は二以上を含ませることができる。さらに、ケース本体部２には、当該ケース本体部２を起立させるための折畳スタンド８を設けることができる。
【手続補正４】
【補正対象書類名】明細書
【補正対象項目名】００１４
【補正方法】変更
【補正の内容】
【００１４】
（３）  好適な態様により、コネクタ部６に、音声マイクロフォンジャック６ａ，ギターマイクロフォンジャック６ｂ，外部音源入力ジャック６ｃを設けるとともに、入力信号を処理した処理信号を出力する外部出力端子６ｄを設ければ、ギター音と音声（歌声）の双方の拡声が可能となるため、ギター音と音声の相対的な音量バランスを設定するなどにより最適なライブ等を実現できる。また、音声マイクロフォンジャック６ａ，ギターマイクロフォンジャック６ｂ，外部音源入力ジャック６ｃからの入力信号を調整処理及びミキシング処理し、外部出力端子６ｄから出力させることにより、小型ミキサーとして機能させることができるとともに、大きなステージで演奏する場合のモニターとしても使用することができる。特に、この場合、演奏者は、音響操作員に頼ることなく調整処理及びミキシング処理することにより、良好なモニター音を得ることができる。